(57)【要約】      （修正有）【課題】外観が良好であり、且つ、開口部の裏面側に大きな設置スペースを確保することなく警告灯を設置できる自動車用カバーインナーを提供する。【解決手段】カバーインナー本体３に設けられた開口部２を有し、警告灯は、カバーインナー本体３の裏面側に設けられる長尺状の導光体４、及び光源５から構成され、導光体４の一端側４ａはカバーインナー本体３の開口部２に配置されるとともに、導光体４の他端側４ｂはカバーインナー本体３より外部側に配置され、他端側４ｂ近傍に光源５が配置される。【選択図】図２
2013147053.tif 000002
【特許請求の範囲】
【請求項１】
警告灯を設けた自動車用カバーインナーであって、
カバーインナー本体に設けられた開口部を有し、
前記警告灯は、前記カバーインナー本体の裏面側に設けられ、
前記開口部に一端側が配置される長尺状の導光体と、
前記導光体の他端側に配置された光源とを備えたことを特徴とする自動車用カバーインナー。
【請求項２】
請求項１記載の自動車用カバーインナーであって、
前記導光体は、前記カバーインナー本体より外部に他端側が達することを特徴とする自動車用カバーインナー。
【請求項３】
請求項１又は請求項２記載の自動車用カバーインナーであって、
前記導光体は、柔軟性を有する透明部材であることを特徴とする自動車用カバーインナー。
【請求項４】
請求項１〜請求項３のいずれかに記載の自動車用カバーインナーであって、
前記カバーインナー本体には、スピーカーが取付けられることを特徴とする自動車用カバーインナー。
【請求項５】
請求項４記載の自動車用カバーインナーであって、
前記スピーカーは、前記警告灯と連動し警告音を発することを特徴とする自動車用カバーインナー。
【発明の詳細な説明】
【技術分野】
【０００１】
本発明は、警告灯を設けた自動車用カバーインナーに関する。
【背景技術】
【０００２】
従来、車両の安全走行を支援するための装置として、自車が進路変更する場合に斜め後方の他車との相対距離等を検知し、所定範囲内に他車が存在する場合に警報を発する後側方障害物警報システムを搭載した車両が知られている（例えば、特許文献１参照）。上記警報は、車室外のサイドミラー（ドアミラー）に設けた警告灯及び車室内に設けたブザーにより報知される。
【０００３】
また、他の実施例として、車室内の運転者が警告灯を見やすくするため、図９及び図１０に示すように、車室内のカバーインナー本体１００にＬＥＤ等の自発光する警告灯１０１を設けたものも実用化されている。カバーインナー本体１００はドアパネル１０２の内側に設けられ、このドアパネル１０２にはドアミラー１０３のベース１０４が取付部材１０５を介して取付けられる。カバーインナー本体１００には、警告灯１０１を露出させる開口部１０６が設けられ、警告灯１０１に接続される配線１０７が、カバーインナー本体１００の下部を覆う内装トリム１０８とドアパネル１０２との間に配索される。
【先行技術文献】
【特許文献】
【０００４】
【特許文献１】特開２００７−１４３５号公報
【発明の概要】
【発明が解決しようとする課題】
【０００５】
しかしながら、前記従来例では、カバーインナー本体１００の開口部１０６の裏面側に、警告灯１０１のために大きな設置スペースを確保する必要があるという問題があった。従って、カバーインナー本体１００の裏面側にスピーカーなどの他の部品を搭載する場合には、開口部１０６の位置周辺を外して設置する必要があり、最悪の場合には警告灯１０１の設置が困難となる。逆に、カバーインナー本体１００の開口部１０６の位置に警告灯１０１を搭載すると、他の部品の設置が困難になる場合もある。
【０００６】
また、カバーインナー本体１００は、警告灯１０１を取り付けるために取付リブ等の取付構造が必要であるので、カバーインナー本体１００の成形時に意匠面である表面にヒケ等が発生し、カバーインナー本体１００の外観を損なうという恐れがあった。
【０００７】
そこで、本発明は、前記した課題を解決すべくなされたものであり、外観が良好であり、且つ、開口部の裏面側に大きな設置スペースを確保することなく警告灯を設置できる自動車用カバーインナーを提供することを目的とする。
【課題を解決するための手段】
【０００８】
本発明は、警告灯を設けた自動車用カバーインナーであって、カバーインナー本体に設けられた開口部を有し、前記警告灯は、前記カバーインナー本体の裏面側に設けられ、前記開口部に一端側が配置される長尺状の導光体と、前記導光体の他端側に配置された光源とを備えたことを特徴とする。
【０００９】
前記導光体は、前記カバーインナー本体より外部に他端側が達することが好ましい。
【００１０】
前記導光体は、柔軟性を有する透明部材であることが好ましい。
【００１１】
前記カバーインナー本体には、スピーカーが取付けられることが好ましい。
【００１２】
前記スピーカーは、前記警告灯と連動し警告音を発することが好ましい。
【発明の効果】
【００１３】
本発明によれば、カバーインナー本体の裏面側に警告灯の一部である長尺状の導光体の一端側を設け、導光体の他端側及び光源の位置を自由に設定できるため、開口部の裏面側に大きな設置スペースを確保することなく警告灯を設置できる。
【００１４】
また、カバーインナー本体の裏面側に警告灯の光源等を取付ける取付構造を設ける必要がなく、カバーインナー本体を簡単な構造とすることができ、インナーカバー本体の成形時に表面のヒケが発生することがないので、インナーカバー本体の外観が良好である。
【図面の簡単な説明】
【００１５】
【図１】本発明の第１実施形態を示し、自動車用カバーインナーの正面図である。
【図２】本発明の第１実施形態を示し、図１のＡ−Ａ線に沿う断面図である。
【図３】本発明の第２実施形態を示し、自動車用カバーインナーの正面図である。
【図４】本発明の第２実施形態を示し、自動車用カバーインナーの裏面図である。
【図５】本発明の第３実施形態を示し、自動車用カバーインナーの裏面図である。
【図６】本発明の第４実施形態を示し、（ａ）は自動車用カバーインナーの裏面図、（ｂ）は自動車用カバーインナーの正面図である。
【図７】本発明の第５実施形態を示し、（ａ）は自動車用カバーインナーの裏面図、（ｂ）は自動車用カバーインナーの正面図である。
【図８】本発明の第６実施形態を示し、自動車用カバーインナーの裏面図である。
【図９】自動車用カバーインナーの従来例を示し、裏面側から見た斜視図である。
【図１０】自動車用カバーインナーの従来例の断面図である。
【発明を実施するための形態】
【００１６】
以下、本発明の実施形態を図面に基づいて説明する。
【００１７】
尚、自動車用カバーインナーは、左右のドアパネルの内側にそれぞれ設けられるが、以下の説明では、左側の自動車用カバーインナーについて説明する。
【００１８】
（第１実施形態）
図１及び図２は、本発明の第１実施形態を示す。図１及び図２に示すように、自動車用カバーインナー１は、開口部２を備えたカバーインナー本体３と、長尺状の導光体４及び光源５からなる警告灯６とを有する。
【００１９】
カバーインナー本体３はドアパネル７の内側に設けられ、このドアパネル７の外部には、ドアミラー８のベース９が取付部材１０を介して取付けられる。ドアパネル７の車両方向の後方（図１の左側）には、ドアガラス１１が開閉可能に設けられる。
【００２０】
導光体４は、長尺状の部材であり、例えば透明なアクリル樹脂から形成されている。導光体４の一端側４ａは、カバーインナー本体３の開口部２に配置されている。導光体４の他端側４ｂは、カバーインナー本体３下方を覆う内装トリム１２の裏面側に配置されている。つまり、導光体４の他端側４ｂはカバーインナー本体３より外部に達している。
【００２１】
光源５は、導光体４の他端側４ｂの近傍、すなわちカバーインナー本体３より外部に配置される。光源５には、内装トリム１２とドアパネル７との間に配索される配線１３が接続され、検出手段（図示せず）からの出力に応じて光源５が点灯する。
【００２２】
上記構成では、内装トリム１２の裏面側に配置される光源５が点灯すると、光源５からの光が導光体４の他端側４ｂより入射して導光体４内を進み、導光体４の一端側４ａより射出し、カバーインナー本体３の開口部２が発光する。
【００２３】
以上説明したように、カバーインナー本体３の裏面側に警告灯６の一部である長尺状の導光体４の一端側４ａを設け、導光体４の他端側及び光源５の位置を自由に設定できるため、カバーインナー本体３の開口部２の裏面側に大きな設置スペースを確保することなく警告灯６を設置できる。
【００２４】
この第１実施形態では、光源５をカバーインナー本体３より外部側に設置したので、カバーインナー本体３の裏面側における警告灯６の設置スペースを十分に小さくできる。また、カバーインナー本体３の裏面側に警告灯６の光源５等を取付ける取付構造を設ける必要がなく、カバーインナー本体３の構造の簡素化を図ることにより、インナーカバー本体３の成形時に表面のヒケが発生することがないので、インナーカバー本体３の外観が良好である。
【００２５】
尚、導光体４の一端側４ａをカバーインナー本体３に設けたので、車室外のサイドミラーに警告灯を設けた従来例と比べて、車室内の運転者が導光体４の一端側４ａを見やすいため、導光体４を介して報知される警報等を車室内の運転者が容易に視認できる。
【００２６】
（第２実施形態）
図３及び図４は、本発明の第２実施形態を示す。前述の第１実施形態に対して、第２実施形態の自動車用カバーインナー１Ａの大きく異なる点は、図３及び図４に示すように、カバーインナー本体３にスピーカー１４が設けられる構成にある。尚、第２実施形態において第１実施形態と同様の構成には同一符号が付されている。
【００２７】
スピーカー１４は、通常時に音楽放送を行なうが、検出手段（図示せず）からの出力情報に基づいて警告灯６と連動して警告音を発する。
【００２８】
この第２実施形態にあっても、前述の第１実施形態と同様の効果を得ることができる。すなわち、カバーインナー本体３の裏面側における警告灯６の設置スペースを十分に小さくできるので、カバーインナー本体３の裏面側にスピーカー１４を容易に取付けることができる。
【００２９】
第２実施形態では、スピーカー１４が警告灯６と連動し警告音を発するので、車室内の運転者に対して警報をより確実に報知できる。
【００３０】
（第３実施形態）
図５は、本発明の第３実施形態を示す。前述の第２実施形態に対して、第３実施形態の自動車用カバーインナー１Ｂの大きく異なる点は、図５に示すように、光源５からの光を導く導光体４Ａを、柔軟性を有する透明部材とした構成にある。尚、第３実施形態において第１実施形態及び第２実施形態と同様の構成には同一符号が付されている。
【００３１】
この第３実施形態にあっても、前述の第２実施形態と同様の効果を得ることができる。
【００３２】
第３実施形態では、導光体４Ａが柔軟性を有する透明部材であるので、導光体４Ａを３次元的に曲げることが可能であり、導光体４Ａの配索経路を容易に設定できるので、警告灯６のレイアウトの自由度が向上する。
【００３３】
尚、上記第３実施形態では、導光体４Ａを柔軟性を有する透明部材としたが、具体的には、例えば光ファイバーとすることができる。
【００３４】
（第４実施形態）
図６（ａ）、（ｂ）は、本発明の第４実施形態を示す。前述の第１実施形態に対して、第４実施形態の自動車用カバーインナー１Ｃの大きく異なる点は、図６（ａ）、（ｂ）に示すように、警告灯６Ａが２組の導光体４及び光源５から構成されたことにある。尚、第４実施形態において第１〜第３実施形態と同様の構成には同一符号が付されている。
【００３５】
この第４実施形態にあっても、前述の第１実施形態と同様の効果を得ることができる。
【００３６】
第４実施形態では、２組の導光体４及び光源５により、警告レベルに応じた警告を行なうことができる。
【００３７】
また、第４実施形態では、２組の導光体４及び光源５から構成された場合について説明したが、複数組（３組以上）であっても良い。この場合、さらに複数の警告レベルに応じた警告を行うことができる。
【００３８】
（第５実施形態）
図７（ａ）、（ｂ）は、本発明の第５実施形態を示す。前述の第１実施形態に対して、第５実施形態の自動車用カバーインナー１Ｄの大きく異なる点は、図７（ａ）、（ｂ）に示すように、警告灯６Ｂが１組の導光体４および光源５と、ＬＥＤ光源を有する１つのランプ１５とから構成されたことにある。尚、第５実施形態において第１〜第４実施形態と同様の構成には同一符号が付されている。
【００３９】
この第５実施形態にあっても、前述の第１実施形態と同様の効果を得ることができる。
【００４０】
第５実施形態では、第４実施形態と同様に、１組の導光体４及び光源５と１つのランプ１５とにより、警告レベルに応じた警告を行うことができる。
【００４１】
また、第５実施形態では、１組の導光体４及び光源５と１つのランプ１５とから構成された場合について説明したが、複数組の導光体４及び光源５と複数のランプ１５とであっても良い。この場合、さらに複数の警告レベルに応じた警告を行うことができる。
【００４２】
（第６実施形態）
図８は、本発明の第６実施形態を示す。前述の第３実施形態に対して、第６実施形態の自動車用カバーインナー１Ｅの大きく異なる点は、図８に示すように、導光体４Ａの他端側及び光源５がカバーインナー本体３の外部側ではなく内側で、且つ、その余剰スペースＳに設置する構成されたことになる。
【００４３】
尚、第６実施形態において第３実施形態と同様の構成には同一符号が付されている。
【００４４】
この第６実施形態にあっては、カバーインナー本体３の裏面側に警告灯６の一部である長尺状の導光体４の一端側４ａを設け、導光体４の他端側及び光源５をカバーインナー本体３の内側で、且つ、その余剰スペースＳに設置したので、カバーインナー本体３の開口部２の裏面側に大きな設置スペースを確保することなく警告灯６をカバーインナー本体３の内側に設置できる。
【符号の説明】
【００４５】
１，１Ａ〜１Ｅ  自動車用カバーインナー
２  開口部
３  カバーインナー本体
４  導光体
４Ａ  導光体（柔軟性を有する透明部材）
４ａ  導光体の一端側
４ｂ  導光体の他端側
５  光源
６，６Ａ，６Ｂ  警告灯
１４  スピーカー
【図１】
2013147053.tif 000003
【図２】
2013147053.tif 000004
【図３】
2013147053.tif 000005
【図４】
2013147053.tif 000006
【図５】
2013147053.tif 000007
【図６】
2013147053.tif 000008
【図７】
2013147053.tif 000009
【図８】
2013147053.tif 000010
【図９】
2013147053.tif 000011
【図１０】
2013147053.tif 000012